(57)【要約】      （修正有）【課題】登録者に対して、登録者が設定した案内間隔で通院すべき時期を知らせ、かつ登録者による医院の予約を可能とする。【解決手段】登録者に対して医院を紹介する医院通院紹介システムであって、メインサーバは、登録者が自らのツールを用いてメインサーバに案内目的と案内間隔を入力可能な入力手段２２と、入力された案内目的を受診することを入力された案内間隔で登録者に知らせる告知手段２３と、登録者が自らのツールを用いてメインサーバを介して受診する医院の予約が可能な予約手段２４とを有する。【選択図】図１
2017040964.tif 000002
【特許請求の範囲】
【請求項１】
登録者に対して医院を紹介する医院通院紹介方法であって、
登録者は自らのツールを用いてメインサーバに案内目的と案内間隔を入力し、
メインサーバは、入力された案内目的を受診することを、入力された案内間隔で登録者に知らせると共に、
登録者は、自らのツールを用いて受診する医院の予約が可能となっていることを特徴とする医院通院紹介方法。
【請求項２】
メインサーバを用いて登録者に対して医院を紹介する医院通院紹介システムであって、
メインサーバは、ＣＰＵと、メモリと、登録者が自らのツールを用いてメインサーバに案内目的と案内間隔を入力可能な入力手段と、入力された案内目的を受診することを入力された案内間隔で登録者に知らせる告知手段と、登録者が自らのツールを用いてメインサーバを介して受診する医院の予約が可能な予約手段とを有することを特徴とする医院通院紹介システム。
【発明の詳細な説明】
【技術分野】
【０００１】
本発明は、医院通院紹介方法及び医院通院紹介システム、特に通院間隔を登録した患者に通院のための案内間隔を知らせる医院通院紹介方法及び医院通院紹介システムに関するものである。
【背景技術】
【０００２】
従来から、所定間隔で治療する必要がある患者、あるいは所定間隔で検査を要する患者等がいた。
このような患者は、前回の治療あるいは検査時に、次回の治療または検査日を予約し、手帳等に書き込んで、次回の治療あるいは検査日を管理していた。
ところが、例えば歯の歯垢取り、あるいは人間ドックのように、年に1回通院するような場合もあったが、次年度の該当日が記載された手帳を持っていない場合には、手帳等による管理が困難となっていた。
医院へのコンピュータを用いた紹介システムとしては、例えば特許文献1に記載されているように、各医院の得意分野と患者の治療部分とをマッチングさせて、最適な医院を選択して知らせるような検索システムは提供されていた。
しかしながら、通院時期を知らせるシステム等は検索されなかった。
【先行技術文献】
【特許文献】
【０００３】
【特許文献１】特開２００８−１１７１６２
【発明の概要】
【発明が解決しようとする課題】
【０００４】
前記先行文献1記載の検索システムでは、治療に最適な医院の紹介を受けることはできても、通院時期を知らせることはできないこととなっていた。
そこで本発明は、登録者に対して、登録者が設定した案内間隔、例えば１月後、半年後あるいは１年後に、通院すべき時期を知らせ、かつ登録者による医院の予約も可能としたシステムを提供することを目的とする。
【課題を解決するための手段】
【０００５】
（第１の発明）
本発明における第１の発明は、登録者に対して医院を紹介する医院通院紹介方法であって、登録者は自らのツールを用いてメインサーバに案内目的と案内間隔を入力し、メインサーバは、入力された案内目的を受診することを、入力された案内間隔で登録者に知らせると共に、登録者は、自らのツールを用いて受診する医院の予約が可能となっていることを特徴とする。
また、第２の発明は、メインサーバを用いて、登録者に対して医院を紹介する医院通院紹介システムであって、メインサーバは、ＣＰＵと、登録者が自らのツールを用いてメインサーバに案内目的と案内間隔を入力可能な入力手段と、入力された案内目的を受診することを入力された案内間隔で登録者に知らせる告知手段と、登録者が自らのツールを用いてメインサーバを介して受診する医院の予約が可能な予約手段とを有することを特徴とする。
ここで、「自らのツール」とは、例えば登録者が所有しているパソコンであったり、タブレットパソコン、携帯端末等をいう。
「メインサーバ」とは、医院通院紹介システム全体を制御するためのサーバをいう。
「案内目的」とは、例えば人間ドック、歯の歯垢除去、定期検診等である。
「案内間隔」とは、前記「受診対象」に対応させると、例えば１年、６ヶ月、２ヶ月等の間隔をいう。
「医院の予約」とは、年月日の他に時間を含むことがある。
【発明の効果】
【０００６】
第１の発明、第２の発明共に、登録者にとって、通院すべき時を正確に知らせてもらえるので、検診を忘れることがない。
特に、人間ドックのように、翌年ということになると、手帳等にも記入することができないことが多いので、通院時期を知らされることは大変便利である。
【図面の簡単な説明】
【０００７】
【図１】本発明の全体のシステムを説明するためのブロック図である。
【発明を実施するための形態】
【０００８】
本発明は、登録者の自らのツール１０と、メインサーバ２０と、医院のパソコンあるいはサーバ等の端末３０との間での通信によって成立している。
登録者は、自らのツール１０を用いて、メインサーバ２０に対して、氏名、生年月日、性別、案内目的、案内間隔、必要に応じて医院名を入力する。
「案内目的」とは、人間ドック、歯の歯垢除去、定期検診等のように、医院で受診する目的を入力するものである。
【０００９】
また、目的を複数入力し、複数の目的の各々に対応して、複数の案内間隔を入力することもできる。
ここで医院名について「必要に応じて」としたのは、案内目的に沿った医院が決定していない場合には、メインサーバ２０のメモリ２５中からで検索することとなるからである。
また、これ以外にも、現在の服用薬、既往症、アレルギーの有無、両親の病歴等を入力しておくこともできる。このようなデータは、後述する医院の予約時に同時に医院の端末に入力することで、合理的な治療等を行うことができる。
【００１０】
メインサーバ２０は、ＣＰＵ２１と、登録者が自らのツール１０を用いてメインサーバ２０に案内目的と案内間隔を入力可能な入力手段２２と、入力された案内目的を受診することを入力された案内間隔で登録者に知らせる告知手段２３と、登録者が自らのツールを用いてメインサーバを介して受診する医院の予約が可能な予約手段２４と、医院名等を記憶したメモリ２５とを有している。
ＣＰＵ２１は、入力手段２２によって入力された案内目的と案内間隔とに対応した案内間隔で、対応した案内目的の受診を告知手段２３によって知らせ、ツール１０か有する受信手段によって知らされた登録者が受診する医院の予約を行うものである。
【００１１】
「告知手段」は、メインサーバ２０から登録者のツール１０に対する入力として、登録者に知らされるものである。
また、「医院の予約」は、メインサーバ２０から医院の端末３０の情報を登録者のツール１０に出力した後、医院の端末３０に登録者が直接予約することも可能であるが、メインサーバ２０を介して予約することも可能である。メインサーバ２０を介して予約することとすれば、メインサーバ２０では、予約がない場合には、「案内目的」を達成していないものとして、予約のないままの「案内間隔」の経過を、再度「督促」として知らせることももできる。
【００１２】
また、メモリ２５には、医院を検索できるようなデータ、登録者に入力された前記現在の服用薬、既往症、アレルギーの有無、両親の病歴等のデータ、及び登録者の診察歴等のデータ等を記憶しているものである。
登録者に於いて、特定の医院の宛てがない場合には、メモリ２５に医院を検索できるようなデータがあれば、メインサーバ２０中で医院検索が可能となる。
【００１３】
そして、前記したようにメインサーバ２０を介して医院の予約を行う際には、メモリ２５に記憶されている必要事項、例えば登録者に入力された前記現在の服用薬、既往症、アレルギーの有無、両親の病歴等のデータ、及び登録者の診察歴等のデータ等を医院の端末３０に送信することも可能であり、送信されたことによって適切な治療等を受けることが可能である。
【００１４】
また、このような医院通院紹介システムを構築しておくと、例えば医院の端末３０からメインサーバ２０に「医院の健康キャンペーン」のお知らせ等を入力すると、メインサーバ２０から、各ツール１０に、その「医院の健康キャンペーン」等を知らせることも可能となる。
【符号の説明】
【００１５】
１０  ツール
２０  メインサーバ
２１  ＣＰＵ
２２  入力手段
２３  告知手段
２４  予約手段
２５  メモリ
３０  端末
【図１】
2017040964.tif 000003